(57)【要約】【課題】床面にガイドレールがなくても吊り戸の横振れを抑制することが容易な引き戸を備えた開閉装置を提供する。【解決手段】２枚の障子１２、１３を有し、そのうち少なくとも１枚の障子は、上部に設けられた吊り車２０１ａ、２０１ｂが案内レール２０２ａ，２０２ｂ上を転動して開口部を開閉するとともにその下方にはレールを有しない上吊り引き戸、として構成された開閉装置１Ａであって、床面ＦＬにはガイドローラ１５ａ、１５ｂを突設して設け、前記上吊り引き戸は、該引き戸の下端に形成した下部ガイド溝２０７ａ、２０７ｂに前記ガイドローラを内装し、該ガイド溝とガイドローラとの協働により前記上吊り引き戸の走行方向を案内するとともに内外方向の横振れを規制し、さらに上記２枚の障子はそれぞれに取り付けられたサイドローラ３００ａ、３００ｂが互いに相手方に設けられた側部ガイド溝１２６、１２７に遊嵌されることにより相互に横振れを規制する。【選択図】      図２
2004278026.tif 000002
【特許請求の範囲】
【請求項１】
２枚の障子を有し、そのうち少なくとも１枚の障子は、上部に設けられた吊り車が案内レール上を転動して開口部を開閉するとともにその下方にはレールを有しない上吊り引き戸、として構成された開閉装置であって、
床面にはガイドローラを突設して設け、
前記上吊り引き戸は、該引き戸の下端に形成した下部ガイド溝に前記ガイドローラを内装し、該ガイド溝とガイドローラとの協働により前記上吊り引き戸の走行方向を案内するとともに内外方向の横振れを規制し、さらに上記２枚の障子はそれぞれに取り付けられたサイドローラが互いに相手方に設けられた側部ガイド溝に遊嵌されることにより相互に横振れを規制されていることを特徴とする開閉装置。
【発明の詳細な説明】
【０００１】
【発明の属する技術分野】
本発明は、開閉装置に関し、特に風等による横振れを抑制することが容易な上吊り式の引き戸を備えた開閉装置に関する。
【０００２】
【従来の技術】
引き戸の上部に設けられたレールに案内されて吊り車が転動することにより開閉が行われる上吊り戸は、いわゆる後付けが可能であることから、風除け等の目的のために改築工事などで設置されることが多くなってきている。
【０００３】
かかる上吊り戸として、特許文献１には、図６（Ａ）に示される様に一方の引き戸には先頭引き戸の走行軌跡に沿って施設した振れ止めレール１０上を弾圧状に転動する前後の第一ガイドローラ６と、第一ガイドローラの上方に凹接されたガイドフレーム１３とを設けるとともに、他の引き戸には、戸袋出口床面に突設した第二ガイドローラ１４に案内される下フレーム１１と、一方の引き戸側に突出してガイドフレームに案内されるように構成された第三ガイドローラ１２とを備えて、他の引き戸の振れ止めを第二、第三のガイドローラの対応するフレームによる振れ規制によって行うように構成した上吊り式引き戸の振れ止め装置が開示されている。
【０００４】
また、他の上吊り戸の例として、特許文献２には、図６（Ｂ）に示される様に、床面には振れ止めローラ１５を突出して設け、該振れ止めローラを奥側吊り戸１の下端に形成したガイド溝１７に内装し、又奥側吊り戸下端部に設けた支持具１８先端にも振れ止めローラ１６を軸支して、他の吊り戸２下端のガイド溝１７に遊嵌し、さらに少なくとも手前側吊り戸下方の床面に床レール１９を延設し、該床レールのガイド溝２１には吊り戸側端にて下方へ突出したスライダーを遊嵌した連動式吊り戸の振れ止め装置が開示されている。なお、以上の説明において使用した参照符号は、図６においてのみ有効であるものとする。
【特許文献１】
実公昭６２−６２２３号公報
【特許文献２】
実開平７−２１９８６号公報
【０００５】
【発明が解決しようとする課題】
しかし、床面にガイドレールを設けるには、改めて三和土の工事を行う必要があり、面倒である。また床面にガイドレールがあると、バリアフリーでなくなり、掃除の際にも不便である。
【０００６】
そこで、本発明は、床面にガイドレールがなくても吊り戸の横振れを抑制することが容易な引き戸を備えた開閉装置を提供することを課題とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
請求項１の発明は、２枚の障子（１２、１３）を有し、そのうち少なくとも１枚の障子は、上部に設けられた吊り車（２０１ａ、２０１ｂ）が案内レール（２０２ａ，２０２ｂ）上を転動して開口部を開閉するとともにその下方にはレールを有しない上吊り引き戸、として構成された開閉装置（１Ｂ）であって、床面（ＦＬ）にはガイドローラ（１５ａ、１５ｂ）を突設して設け、前記上吊り引き戸は、該引き戸の下端に形成した下部ガイド溝（２０７ａ、２０７ｂ）に前記ガイドローラを内装し、該ガイド溝とガイドローラとの協働により前記上吊り引き戸の走行方向を案内するとともに内外方向の横振れを規制し、さらに上記２枚の障子はそれぞれに取り付けられたサイドローラ（３００ａ、３００ｂ）が互いに相手方に設けられた側部ガイド溝（１２６、１２７）に遊嵌されることにより相互に横振れを規制されていることを特徴とする開閉装置を提供して前記課題を解決する。
【０００９】
この発明によれば、少なくとも一枚の障子は、床面に取り付けられているガイドローラにより、走行方向を案内されつつ一点において室内外方向の規制を受けており、自らの垂直方向の平面剛性と相俟って横触れが抑制されている。そして、２枚の障子それぞれには、互いに相手方の側部ガイド溝に案内されるサイドローラを備えられているので、それぞれが関わりあって、個々の障子単体では構成できない平面方向の剛性を生じることができ、ねじれに対する抵抗が高められている。したがって、全体としては少なくとも一点においてガイドローラにより床面に固定され、障子それぞれにねじれに対する剛性が高められているので風などにより前後方向の力を受けても片面側が反り返ることが抑えられ、横振れの抑制を図ることが容易となる。
【００１０】
本発明のこのような作用及び利得は、次に説明する実施の形態から明らかにされる。
【００１１】
【発明の実施の形態】
以下本発明を図面に示す実施形態に基づき説明する。
【００１２】
図１は、本発明の実施形態にかかる開閉装置を正面方向の視点から示すものであり、土間あるいは床面は一点鎖線ＦＬで示されている。図１（Ａ）は、いわゆる方引き戸を示しており、室内側障子（以下において「内障子」という。）１１が固定された嵌め殺し障子として構成され、室外側障子（以下において「外障子」という。）１０が図の左右方向に引き動かされて、開閉装置１Ａの開閉が行われる。
【００１３】
開閉装置１Ａは、左右の縦枠１ａ、２ａと上枠３ａと、内障子１１の下方に配置される下枠４ａとを備えている。これらの枠に内障子１１が固定されている。内障子１１の室外側下方の下枠４ａには下部ガイド溝１１１が設けられている。下部ガイド溝については後に詳しく説明する。
【００１４】
一方外障子１０は、上枠３ａに設けられた案内レールに案内されて吊り車（案内レール及び吊り車は図示されていない。）が転動することにより開閉が行われる上吊り戸として構成されている。本発明の構成においては、外障子１０の下方には特にガイドレールは設けられていない。したがって外障子１０の下方には僅かな空隙が設けられている。必要に応じて床面ＦＬとの隙間をふさぐためにモヘアやゴム製のシール部材等が使用される。
【００１５】
床面ＦＬにはガイドローラ１４（図１ではガイドローラ１４の下部のみ現れている。）が取り付けられている。外障子１０は、上下の桟１０１、１０２、及び左右の框１０３、１０４を備え、それらの枠にビードを介してガラスパネルが嵌め込まれている。上記ガイドローラ１４は左框１０３の直下に配置され、下桟１０２の内部に設けられたガイドフレーム（図１においては不図示）に内挿されている。なお、図には現れていないが、外障子１０の室内側にも下部ガイド溝１１１と同一高さに下部ガイド溝が設けられている。
【００１６】
左右の框１０３、１０４にはそれぞれ引き手１０５、１０６が設けられている。引き手１０５または１０６に手をかけて外障子１０を左右方向に引くことにより、外障子１０の上桟１０１内部に設けられている吊り車が上枠３ａ内のレール上を転動されて、開閉装置１Ａの開閉が行われる。
【００１７】
図１（Ｂ）は、いわゆる引き違い戸として構成された開閉装置１Ｂを示す図である。ここでは、内障子１２と外障子１３との双方が図の左右方向に引き動かされて、開閉装置１Ｂの開閉が行われる。
【００１８】
開閉装置１Ｂは、左右の縦枠１ｂ、２ｂと上枠３ｂとを備えている。これらの枠に内障子１２、および外障子１３が取り付けられている。内障子１２、及び外障子１３は、それぞれ上枠３ｂに設けられた案内レール２０２ａ、２０２ｂに案内されて吊り車２０１ａ、２０１ｂ（案内レール２０２ａ、２０２ｂ及び吊り車２０１ａ、２０１ｂは図２参照。）が転動することにより開閉が行われる上吊り戸として構成されている。本発明の構成においては、内障子１２および外障子１３の下方には特にガイドレールは設けられていない。したがって内障子１２および外障子１３の下方には僅かな空隙が設けられている。必要に応じて床面ＦＬとの隙間をふさぐためにモヘアやゴム製のシール部材等が使用される。
【００１９】
床面ＦＬにはガイドローラ１５ａ、１５ｂ（図１（Ｂ）ではガイドローラ１５ａの下部のみ現れている。）が取り付けられている。外障子１３は、上下の桟１３１、１３２、及び右框１３４、召し合わせ框１３３を備え、それらの枠にビードを介してガラスパネルが嵌め込まれている。内障子１２は、上下の桟１２１、１２２、及び左框１２３、召し合わせ框１２４（図では外障子１３の召し合わせ框１３３の背後にあり現れていない。）を備え、それらの枠にビードを介してガラスパネルが嵌め込まれている。上記ガイドローラ１５ａは外障子１３の召し合わせ框１３３の下方に配置され、外障子１３の下桟１３２の内部に設けられた下部ガイド溝２０７ａ（図２参照）に内挿されている。また、ガイドローラ１５ｂは内障子１２の召し合わせ框１２４の下方に配置され、下桟１２２の内部に設けられた下部ガイド溝２０７ｂ（図２参照）に内挿されている。
【００２０】
内障子１２の下枠１２２の室外側には側部ガイド溝１２６が設けられている。側部ガイド溝１２６については後に詳しく説明する。なお、図には現れていないが、外障子１３の室内側にも側部ガイド溝１２６と同一高さに側部ガイド溝１２７が設けられている。
【００２１】
外障子１３の左右の框１３３、１３４にはそれぞれ引き手１３５、１３６が設けられている。また、内障子１２の左框１２３にも引き手１２５が設けられている。引き手１３５若しくは１３６又は１２５に手をかけて外障子１３、内障子１２を左右方向に引くことにより、外障子１３の上桟１３１、内障子１２の上桟１２１それぞれの内部に設けられている吊り車２０１ａ、２０１ｂが上枠３ｂ内の案内レール２０２ａ、２０２ｂ上を転動されて、開閉装置１Ｂの開閉が行われる。
【００２２】
以下に開閉装置１Ｂを例にとって、外障子１３及び内障子１２の触れ止め機構について詳しく説明する。図２は、図１（Ｂ）における開閉装置１ＢのＩＩ−ＩＩ線に沿った垂直断面を示すものである。図の左側が室内側、右側が室外側を表している。上枠３ｂの内部には吊り下げアーム２００の下端より左右に分岐して配置された案内レール２０２ａ、２０２ｂが設けられている。一方外障子１３の上桟１３１の上部にはアーム２０３ａが取り付けられ、アーム２０３ａの先端には、吊り車２０１ａが垂直方向に回転自在に取り付けられている。同様に内障子１２の上桟１２１の上部にはアーム２０３ｂが取り付けられ、アーム２０３ｂの先端には、吊り車２０１ｂが垂直方向に回転自在に取り付けられている。吊り車２０１ａ、２０１ｂはそれぞれ案内レール２０２ａ、２０２ｂ上に配置され、案内レール２０２ａ、２０２ｂ上を転動可能に構成されている。
【００２３】
外障子１３の上桟１３１と下桟１３２の間にはシール部材２０４ａ、２０６ａを介してガラスパネル２０５ａが取り付けられている。同様に内障子１２の上桟１２１と下桟１２２の間にもシール部材２０４ｂ、２０６ｂを介してガラスパネル２０５ｂが取り付けられている。
【００２４】
床面ＦＬには、外障子１３の召し合わせ框１３３直下にガイドローラ１５ａが、内障子１２の召し合わせ框１２４直下にはガイドローラ１５ｂが取り付けられている。ガイドローラ１５ａ、及び１５ｂは、床面ＦＬに取り付けられる起立部２１０ａ、２１０ｂと、起立部２１０ａ、２１０ｂそれぞれの先端に水平方向に回転自在に取り付けられたローラ２１１ａ、２１１ｂを備えている。
【００２５】
一方、外障子１３の下桟１３２下端部には下部ガイド溝２０７ａが下桟１３２の長さ方向に設けられており、さらに下部ガイド溝２０７ａの内面には下方に開いた「凹」状のガイド部材２０８ａが下桟１３２の長さ方向に取り付けられている。同様に、内障子１２の下桟１２２下端部には下部ガイド溝２０７ｂが下桟１２２の長さ方向に設けられており、さらに下部ガイド溝２０７ｂの内面には下方に開いた「凹」状のガイド部材２０８ｂが下桟１２２の長さ方向に取り付けられている。
【００２６】
ローラ２１１ａ、２１１ｂはそれぞれ、ガイド部材２０８ａ、２０８ｂの一方の内面に接するように配置されている。ガイドローラ１５ａ、１５ｂが床面ＦＬに固定されているので、この部分において外障子１３、及び内障子１２が室内外方向に横振れされることが防止され、かつガイドローラ１５ａ、１５ｂとガイド部材２０８ａ、２０８ｂとの協働により、外障子１３及び内障子１２の開閉動作が所定軌道上に行われることが容易となる。
【００２７】
外障子１３、内障子１２の下部ガイド溝２０７ａ、２０７ｂの直上には下桟１３２、１２２の長さ方向に側部ガイド溝１２７、１２６が設けられている。外障子１３の側部ガイド溝１２７には、内障子１２に対向する面側にスリット状の水平な開口１２７ａが設けられている。内障子１２の側部ガイド溝１２６には、外障子１３に対向する面側にスリット状の水平な開口１２６ａが設けられている。
【００２８】
図３は、図１（Ｂ）における開閉装置１ＢのＩＩＩ−ＩＩＩ線に沿った水平断面を示すものである。図の上側が室内側、下側が室外側を表している。なお、図３において図２と同一部材が表されているものについては同一符号を付してその説明を省略することがある。図３において、開閉装置１Ｂは、左縦枠１ｂと、右縦枠２ｂとの間に、室外側には外障子１３が、室内側１２には内障子１２が配されている。図示の状態は開閉装置１Ｂが閉鎖されている状態が示されており、外障子側召し合わせ框１３３と内障子側召し合わせ框１２４とが正面方向から見て重なった状態にある。すでに説明したように、外障子１３の召し合わせ框１３３、及び内障子１２の召し合わせ框１２４の直下には、床面ＦＬに取り付けられたガイドローラ１５ａ、１５ｂがそれぞれ配置されている。
【００２９】
外障子１３の召し合わせ框１３３の左側面下部にはサイドローラ３００ａが取り付けられている。内障子１２の召し合わせ框１２４の右側面下部にはサイドローラ３００ｂが取り付けられている。以下に図３〜５を参照しつつサイドローラ３００ａ、３００ｂの構成及びその作用について説明する。図４（Ａ）は、外障子１３とそれに取り付けられたサイドローラ３００ａ、及びそれらとガイドローラ１５（外障子１３の内部を透かして示している。）の配置を概略的に示す斜視図である。図４（Ｂ）は、外障子１３と内障子１２、ガイドローラ１５ａ、１５ｂ、及びサイドローラ３００ａ、３００ｂの平面的な配置を概略的に示す図である。図５は、内障子１２の側部ガイド溝１２６に差し入れられた外障子１３のサイドローラ３００ａを室外側斜め下方の視点から見た概略斜視図である。
【００３０】
外障子１３のサイドローラ３００ａは、召し合わせ框１３３の左側端面下部に当接されネジ３０４ａ〜３０４ｃにより固定される取り付け部３０３ａと、取り付け部３０３ａの下端から略「Ｓ」字状に内障子１２側に延設されるアーム部３０１ａと、アーム部３０１ａの先端上面に水平方向に回転自在に取り付けられたローラ３０２ａをと備えている。ローラ３０２ａはアーム部３０１ａを介して、内障子１２のスリット状の水平な開口１２６ａから内障子下部に設けられた側部ガイド溝１２６（図２も参照）の内部に差し入れられて、側部ガイド溝１２６の内側面に当接されている。
【００３１】
一方、内障子１２のサイドローラ３００ｂは、召し合わせ框１２４の右側端面下部に当接され不図示の３本のネジにより固定される取り付け部３０３ｂと、取り付け部３０３ｂの下端から略「Ｓ」字状に外障子１３側に延設されるアーム部３０１ｂと、アーム部３０１ｂの先端上面に水平方向に回転自在に取り付けられたローラ３０２ｂとを備えている。ローラ３０２ｂはアーム部３０１ｂを介して、外障子１３のスリット状の水平な開口１２７ａから内障子下部に設けられた側部ガイド溝１２７（図２も参照）の内部に差し入れられて、側部ガイド溝１２７の内側面に当接されている。
【００３２】
図４（Ｂ）を参照して、このように構成された開閉装置１Ｂは、ガイドローラ１５ａ、１５ｂにより、外障子１３、及び内障子１２それぞれの一点において、室内外方向の振れに対し床面ＦＬに固定されている。また、外障子１３と内障子１２とはそれぞれにサイドローラ３００ａ、３００ｂにより互いに拘束され、障子それぞれにねじれに対する剛性が高められている。したがって、風などにより室内外方向の力を受けても片面側が反り返ることが抑えられ、室内外方向への「横振れ」の抑制を図ることが容易となる。また、外障子１３のサイドローラ３００ａのローラ３０２ａは、内障子１２の側部ガイド溝１２７内に収容されて、開閉時に内障子１２に対して一定の距離を保持した軌道を確保している。同様に内障子１２のサイドローラ３００ｂのローラ３０２ｂは、外障子１３の側部ガイド溝１２６内に収容されて、開閉時に外障子１３に対して一定の距離を保持した軌道を確保している。
【００３３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開閉装置もまた本発明の技術的範囲に包含されるものとして理解されなければならない。
【００３４】
【発明の効果】
以上に説明したように、請求項１の発明によれば、少なくとも一枚の障子は、床面に取り付けられているガイドローラにより、走行方向を案内されつつ一点において横方向の規制を受けており、自らの垂直方向の平面剛性と相俟って横触れが抑制されている。そして、２枚の障子それぞれには、互いに相手方の側部ガイド溝に案内されるサイドローラを備えているので、それぞれが関わりあって、個々の障子単体では構成できない平面方向の剛性を生じることができ、ねじれに対する抵抗が高められている。したがって、全体としては少なくとも一点においてガイドローラにより床面に固定され、障子それぞれにねじれに対する剛性が高められているので風などにより前後方向の力を受けても片面側が反り返ることが抑えられ、横振れの抑制を図ることが容易となる。
【図面の簡単な説明】
【図１】（Ａ）は方引き戸を、（Ｂ）は引き違い戸を示す図である。
【図２】図１（Ｂ）における開閉装置１ＢのＩＩ−ＩＩ線に沿った垂直断面図である。
【図３】図１（Ｂ）における開閉装置１ＢのＩＩＩ−ＩＩＩ線に沿った垂直断面図である。
【図４】（Ａ）は外障子１３とそれに取り付けられたサイドローラ３００ａ、及びそれらとガイドローラ１５の配置を概略的に示す斜視図、（Ｂ）は、外障子１３と内障子１２、ガイドローラ１５ａ、１５ｂ、及びサイドローラ３００ａ、３００ｂの平面的な配置を概略的に示す図である。
【図５】内障子１２の側部ガイド溝１２６に差し入れられた外障子１３のサイドローラ３００ｂを室外側斜め下方の視点から見た概略斜視図である。
【図６】（Ａ）は、特許文献１に開示されている上吊り式引き戸の振れ止め装置、（Ｂ）は特許文献２に開示されている連動式吊り戸の振れ止め装置をそれぞれ示す図である。
【符号の説明】
ＦＬ  床面
１Ａ、１Ｂ  開閉装置
１２、１３  障子（内障子、外障子）
１５ａ、１５ｂ  ガイドローラ
１２６、１２７  側部ガイド溝
２０１ａ、２０１ｂ  吊り車
２０２ａ、２０２ｂ  案内レール
２０７ａ、２０７ｂ  下部ガイド溝
３００ａ、３００ｂ  サイドローラ
【図１】
2004278026.tif 000003
【図２】
2004278026.tif 000004
【図３】
2004278026.tif 000005
【図４】
2004278026.tif 000006
【図５】
2004278026.tif 000007
【図６】
2004278026.tif 000008